(57)【要約】【課題】一連の定型的なスキャン作業を正確かつ効率的に行えるようにする。【解決手段】画像処理装置１０から入力された画像データ毎に、画像データに対して指示された編集処理の種別に応じた編集を画像処理装置２０で行うか、画像データに対して指示された編集処理の種別が記録された編集指示ファイルを画像処理装置２０で作成し、当該編集指示ファイルを画像データと共に上位装置である図面管理装置３０に転送し、当該図面管理装置３０で編集指示ファイルに従って編集処理を行うかを、ユーザによる指示に応じて選択できるようにする。【選択図】図１
2008118318.tif 000002
【特許請求の範囲】
【請求項１】
画像入力装置から入力された画像データ毎に、その場で編集処理を行うか、上位装置で編集処理を行うかをユーザによる指定によって選択する手段と、
その場での編集処理または上位装置での編集処理に当たって前記画像データに対して編集処理の種別を指示する手段と、
ユーザによってその場で編集処理を行うように指定された場合は、前記画像データに対して前記編集処理の種別に応じた編集処理を行う手段と、
ユーザによって上位装置で編集処理を行うように指定された場合は、前記編集処理の種別が記録された編集指示ファイルを作成し、当該編集指示ファイルを前記画像データと共に上位装置に転送する手段と
を備えることを特徴とする画像処理装置。
【請求項２】
前記画像処理装置は、前記画像データをファイルとして各々を記憶しておき、この記憶した画像ファイルを一括して前記上位装置に転送する
ことを特徴とする請求項1記載の画像処理装置。
【請求項３】
画像入力装置から入力された画像データ毎に処理する画像処理装置と、
前記画像処理装置を経た前記画像データを管理する上位装置とを具備し、
前記画像処理装置は、
前記画像データ毎に、当該画像処理装置で編集処理を行うか、前記上位装置で編集処理を行うかをユーザによる指定によって選択する手段と、
前記画像処理装置での編集処理または前記上位装置での編集処理に当たって前記画像データ毎に編集処理の種別を指示する手段と、
ユーザによって前記画像処理装置で編集処理を行うように指定された場合は、前記画像データに対して前記編集処理の種別に応じた編集処理を行う手段と、
ユーザによって前記上位装置で編集処理を行うように指定された場合は、前記編集処理の種別が記録された編集指示ファイルを作成し、当該編集指示ファイルを前記画像データと共に上位装置に転送する手段とを備え、
前記上位装置は、前記画像処理装置から受け取った前記編集指示ファイルに従って前記画像データに対して編集処理を行う
ことを特徴とする画像処理システム。
【請求項４】
前記上位装置は、当該上位装置で可能な編集処理の種別を前記画像処理装置に通知し、
前記画像処理装置は、前記上位装置から受信した前記編集処理の種別を操作画面に選択画面として表示する
ことを特徴とする請求項３記載の画像処理システム。
【請求項５】
画像入力装置から入力された画像データ毎に、画像処理装置で編集処理を行うようにユーザによって指示された場合に、前記画像データに対して指示された編集処理の種別に応じた編集を前記画像処理装置で行う処理と、
前記画像データ毎に前記画像処理装置の上位装置で編集処理を行うようにユーザによって指定された場合に、前記画像データに対して指示された編集処理の種別が記録された編集指示ファイルを作成し、当該編集指示ファイルを前記画像データと共に前記上位装置に転送する処理と
の各処理をコンピュータに実行させることを特徴とする画像処理プログラム。
【発明の詳細な説明】
【技術分野】
【０００１】
本発明は、画像処理装置、画像処理システムおよび画像処理プログラムに関する。
【背景技術】
【０００２】
上位装置、例えば図面管理装置と、原稿をスキャンした画像を処理する画像処理装置とが連携した画像処理システムがある。この画像処理システムでは、原稿をスキャンした画像を操作画面内の特定領域にプレビュー表示する機能を実現している。このプレビュー表示機能によって、ユーザはスキャンした画像をプレビュー表示し、入力された原稿を確認したり、画像を確認しながら画像の傾き補正やノイズとなる孤立点の除去などの編集作業を行ったりすることができる。
【０００３】
また、多量の図面などの原稿を画像読み取り装置で読み取り、この読み取った画像データを上位装置で図面データベースに登録するような場合、画像入力装置から画像データと当該画像データの入力処理に関連する関連情報（例えば、読み取るための条件や読み取り時に実行する編集処理する指定からなるスキャン設定情報等）とを受信し、この受信した画像データと関連情報とを対応させて上位装置のデータベースに保存するシステム連携の機能も実現している（例えば、特許文献１参照）。
【０００４】
【特許文献１】特開２００４−２９５５６１号公報
【発明の開示】
【発明が解決しようとする課題】
【０００５】
このように、多量の原稿をスキャンし、連携する上位装置に登録する場合、図面のような大判の原稿のスキャン作業は読み取りに時間がかかり、さらに、原稿のスキャン時に発生する傾きや読み込む向きの間違いなどに伴う読み取りミスを防止するためには、スキャンした画像データをプレビュー表示して確認する工程も必要である。
【０００６】
そこで、本発明は、一連の定型的なスキャン作業を正確かつ効率的に行うことを可能にした画像処理装置、画像処理システムおよび画像処理プログラムを提供することを目的とする。
【課題を解決するための手段】
【０００７】
請求項１記載の画像処理装置は、画像入力装置から入力された画像データ毎に、その場（画像処理装置）で編集処理を行うか、上位装置で編集処理を行うかをユーザによる指定によって選択する手段と、その場での編集処理または上位装置での編集処理に当たって前記画像データに対して編集処理の種別を指示する手段と、ユーザによってその場で編集処理を行うように指定された場合は、前記画像データに対して前記編集処理の種別に応じた編集処理を行う手段と、ユーザによって上位装置で編集処理を行うように指定された場合は、前記編集処理の種別が記録された編集指示ファイルを作成し、当該編集指示ファイルを前記画像データと共に上位装置に転送する手段とを備えることを特徴とする。
【０００８】
請求項２記載の画像処理装置は、請求項1記載の画像処理装置において、前記画像処理装置は、前記画像データをファイルとして各々を記憶しておき、この記憶した画像ファイルを一括して前記上位装置に転送することを特徴とする。
【０００９】
請求項３記載の画像処理システムは、画像入力装置から入力された画像データ毎に処理する画像処理装置と、前記画像処理装置を経た前記画像データを管理する上位装置とを具備し、前記画像処理装置は、前記画像データ毎に、当該画像処理装置で編集処理を行うか、前記上位装置で編集処理を行うかをユーザによる指定によって選択する手段と、前記画像処理装置での編集処理または前記上位装置での編集処理に当たって前記画像データ毎に編集処理の種別を指示する手段と、ユーザによって前記画像処理装置で編集処理を行うように指定された場合は、前記画像データに対して前記編集処理の種別に応じた編集処理を行う手段と、ユーザによって前記上位装置で編集処理を行うように指定された場合は、前記編集処理の種別が記録された編集指示ファイルを作成し、当該編集指示ファイルを前記画像データと共に上位装置に転送する手段とを備え、前記上位装置は、前記画像処理装置から受け取った前記編集指示ファイルに従って前記画像データに対して編集処理を行うことを特徴とする。
【００１０】
請求項４記載の画像処理システムは、請求項３記載の画像処理システムにおいて、前記上位装置は、当該上位装置で可能な編集処理の種別を前記画像処理装置に通知し、前記画像処理装置は、前記上位装置から受信した前記編集処理の種別を操作画面に選択画面として表示することを特徴とする。
【００１１】
請求項５記載の画像処理プログラムは、画像入力装置から入力された画像データ毎に、画像処理装置で編集処理を行うようにユーザによって指示された場合に、前記画像データに対して指示された編集処理の種別に応じた編集を画像処理装置で行う処理と、前記画像データ毎に前記画像処理装置の上位装置で編集処理を行うようにユーザによって指定された場合に、前記画像データに対して指示された編集処理の種別が記録された編集指示ファイルを作成し、当該編集指示ファイルを前記画像データと共に前記上位装置に転送する処理との各処理をコンピュータに実行させることを特徴とする。
【発明の効果】
【００１２】
請求項１記載の画像処理装置によれば、連続的な画像の入力を実施中に、その場で編集処理を行うか、上位装置で編集処理を行うかの切り替えが可能であることにより、一連の定型的な原稿の入力時に入力ミスによる非定型な作業が入った場合に、上位装置での編集処理に切り替えることで連続的なスキャン作業が編集処理によって止まるのを回避できるために、一連の定型的なスキャン作業を正確かつ効率的に行うことができる。
【００１３】
請求項２記載の画像処理装置によれば、入力された画像データを後から画像処理装置で確認できるため、上位装置で画像ファイルを探す煩雑さを防止することができる。
【００１４】
請求項３記載の画像処理システムによれば、一連の定型的な原稿の入力時に入力ミスによる非定型な作業が入った場合に、上位装置での編集処理に切り替え、当該編集処理を上位装置側で行うことで、連続的なスキャン作業が画像処理装置での編集処理によって止まるのを回避できるため、一連の定型的なスキャン作業を正確かつ効率的に行うことができる。
【００１５】
請求項４記載の画像処理システムによれば、画像処理装置と連携して動作する上位装置側の編集能力に応じて編集指示の内容を切り替えることで、別の上位装置と連携する場合でも当該上位装置の編集能力に応じた適切な編集指示を選択できるようになる。
【００１６】
請求項５記載の画像処理プログラムによれば、画像データに対して指示された編集処理の種別に応じた編集を画像処理装置で行う処理と、画像データに対して指示された編集処理の種別が記録された編集指示ファイルを作成し、当該編集指示ファイルを画像データと共に上位装置に転送する処理とを、ユーザによる指示に応じてコンピュータに実行させ、一連の定型的なスキャン作業を正確かつ効率的に実行できるようにすることができる。
【発明を実施するための最良の形態】
【００１７】
以下、本発明の実施の形態について図面を参照して詳細に説明する。
【００１８】
図１は、本発明の一実施形態に係る画像処理システムの構成の概略を示すシステム構成図である。ここでは、画像処理システムとして、例えば図面管理システムに適用した場合を例に挙げて説明するものとする。
【００１９】
図１に示すように、本実施形態に係る画像処理システム（図面管理システム）は、画像入力装置１０と、画像処理装置２０と、当該画像処理装置２０の上位装置である例えば図面管理装置３０とを有し、画像入力装置１０と画像処理装置２０とがケーブル等によって直接に接続され、画像処理装置２０と図面管理装置３０とがネットワーク４０を介して相互に通信可能に接続された構成となっている。
【００２０】
画像処理装置２０と図面管理装置３０とのネットワーク４０による接続形態としては、ＬＡＮ(Local Area Network)、インターネットや電話回線網、専用線を用いる形態や、相互に直結する形態など、種々の接続形態を採ることができる。
【００２１】
画像入力装置１０は、いわゆるスキャナであり、画像処理装置２０によって設定された入力パラメータにて原稿をスキャンして画像データを得る。
【００２２】
画像処理装置２０は、コンピュータ装置によって構成され、画像入力装置１０に対して入力パラメータを設定する手段と、画像入力装置１０で読み取られた画像データを記憶する手段と、画像をプレビュー表示する手段と、プレビュー表示を更新する手段と、回転、角度、孤立点、色付け等の画像編集の種別を選択する手段と、画像を編集する手段と、指示された編集種別（編集処理の種別）を保持する手段と、保持した編集種別を所定フォーマットのファイルに保存する手段と、画像ファイルまたは編集指示ファイルを保存先である図面管理装置３０に転送する手段と、本装置全体の制御を司る制御手段とを有する構成となっている。
【００２３】
そして、画像処理装置２０は、画像処理装置２０から入力された原稿の画像データ毎に、その場（画像処理装置２０）で編集処理を行うか、上位装置である図面管理装置３０で後処理として編集処理を行うかをユーザによって選択可能となっており、プレビュー表示中に編集処理を行う場合には、プレビュー表示されている画像に対して選択された編集処理を実行して画像データを図面管理装置３０に転送し、図面管理装置３０の後処理で編集処理を行う場合には、プレビュー表示されている画像に対して選択された編集種別が記録された編集指示ファイルを画像データと共に図面管理装置３０に転送する。
【００２４】
図面管理装置３０（上位装置）は、パーソナルコンピュータなどのコンピュータ装置によって構成され、画像データを記憶する手段と、画像を編集する手段と、画像処理装置２０から画像データを受信する手段と、画像処理装置２０から画像データに対応する編集指示ファイルを受信する手段と、画像データに対応する編集指示ファイルの中で編集指示があれば、指示ファイルの記述に従って画像ファイルを編集処理するようにするように制御する手段とを有し、画像処理装置２０と連携して動作する構成となっている。
【００２５】
上記構成の画像処理システムにおいて、ユーザによる作業および画像処理装置２０での操作および処理ならびに図面管理装置３０での処理は次のような手順で行われる。
【００２６】
（手順１）
図面管理装置３０において、登録する予定の画像ファイルに対する属性をＣＳＶ(Comma Separated Value)形式の文書属性ファイルとして作成する。
【００２７】
（手順２）
ユーザは、画像処理装置２０の操作画面（ユーザインターフェイス画面）上において、図面管理装置３０で作成された文書属性ファイルを選択（指定）し、画像処理装置２０内に登録（取り込む）する。このとき、予め設定されているルールに従って属性情報欄からスキャン画像のファイル名を確定し、画像処理装置２０用の一種のジョブメモリとして保存する。
【００２８】
（手順３）
ユーザが画像処理装置２０の操作画面上において、画像処理装置２０に登録されている文書属性ファイルを選択し、さらに保存先/保存フォーマットや、画像入力装置１０の解像度や濃度等の各種スキャンパラメータを設定し、スキャン開始を指示する。
【００２９】
（手順４）
スキャン中、ユーザは文書属性ファイルで確定しているファイル名の原稿を順次画像入力装置１０に読み込ませ、入力された画像を指定されたフォーマットで保存先である図面管理装置３０にストアしていく。このとき、設定によっては画像の属性情報ファイルも合わせてストアする。
【００３０】
（手順５）
図面管理装置３０は、ストアされた画像ファイルに必要な後処理、例えば画像編集やデータベースへの登録などの処理を行う。
【００３１】
上述した手順で各処理を実行する画像処理システムにおいて、本実施形態では、画像処理装置２０における制御手段による制御の下に、連続的なスキャンを実施中に、プレビュー画面表示時に画像編集を行うか、または連携する図面管理装置３０で処理するように指示するかを切り替えることができることを特徴としている。この特徴とする点について、以下に具体的に説明する。
【００３２】
＜コンピュータの基本構成＞
図２は、画像処理装置２０を構成するコンピュータの基本的な構成を示すブロック図である。図２に示すように、画像処理装置２０を構成するコンピュータは、ＣＰＵ(Central Processing Unit:中央演算装置)２１、Ｉ／Ｏ回路２２、ＲＯＭ２３、ＲＡＭ２４およびＨＤＤ（ハードディスクドライブ）装置２５などを有し、これら構成要素がバスライン２６を介して接続された構成となっている。
【００３３】
ＣＰＵ２１は、画像処理装置２０の制御手段に相当し、画像処理装置２０が実行する処理の制御を行う。Ｉ／Ｏ回路２２は、周辺機器である画像入力装置１０および図面管理装置３０との入出力を管理する。ＲＯＭ２３は、ＣＰＵ２１による制御の下に実行される各種処理の処理プログラムを格納する。ＲＡＭ２４は、各種処理の実行時に使用される一次記憶装置である。ＨＤＤ２５は、ＣＰＵ２１による制御の下に処理された画像データなどの各種のデータを記憶する。
【００３４】
上記構成のコンピュータからなる画像処理装置２０においては、ＣＰＵ２１による制御の下に、図３のフローチャートに示す手順に沿った一連の処理シーケンスの各処理が実行される。
【００３５】
画像処理装置２０の操作画面上でのユーザによる操作により、先ず、図面管理装置３０で作成された文書属性ファイルが選択され（ステップＳ１１）、次いで、画像入力装置１０に対してスキャンパラメータが指示される（ステップＳ１２）。スキャンパラメータとしては、階調、解像度、倍率などの基本設定のパラメータ、濃度、原稿の紙質、地肌などの画質調整パラメータ、用紙サイズの設定パラメータ、プレビューの有り／無しの設定パラメータなどが挙げられる。
【００３６】
スキャンパラメータの指示後、ユーザはスキャン開始を指示する（ステップＳ１３）。以降は、ＣＰＵ２１による制御の下に、ステップＳ１４以降の各ステップの処理が実行される。すなわち、スキャン開始が指示されると、ＣＰＵ２１は、スキャン中止の指示がない限り、スキャン継続と判断し（ステップＳ１４）、原稿を読み込み、画像データとして記憶する（ステップＳ１５）。
【００３７】
そして、原稿を読み取った時点でプレビュー表示が指定されているか否かを判断し（ステップＳ１６）、画像をプレビュー表示しない設定の場合は、画像データを保存先（図面管理装置３０）へ転送し（ステップＳ１７）、ステップＳ１４を経由してステップＳ１５へ移行し、次の原稿を読み込む。原稿を読み取った時点で、画像をプレビュー表示する設定の場合は、操作画面上に画像をプレビュー表示する（ステップＳ１８）。
【００３８】
図４に、プレビュー表示画面４１の表示の一例を示す。ここでは、原稿の向きを間違えて読み込み入力された場合の表示例を示している。図４に示すように、操作画面上には、プレビュー表示画面４１の横に、「回転」、「孤立点除去」、「傾き補正」、…、「編集を１回戻す」、…、「編集を後処理で実行」などの編集機能（編集モード）を指定するボタン群４２も表示される。
【００３９】
さらに、操作画面上には、プレビュー表示画面４１の上に、「プレビュー画面を完了する場合は［保存］または［終了］を選択してください。画像を編集する場合は編集機能を選択してください。」なるメッセージも表示される。
【００４０】
プレビュー表示状態において、操作画面上でのユーザによるボタン群４２の操作によって、「回転」、「孤立点除去」、「傾き補正」、「編集を１回戻す」などの編集種別（編集機能）が選択され（ステップＳ１９）、即時編集の実行が指示されたら（ステップＳ２０）、操作画面上のプレビュー表示をクリアしてから処理中の状態を表示し、画像に対して編集処理を実行し（ステップＳ２１）、しかる後ステップＳ１８に移行して画像編集の処理結果を操作画面上に再表示する。
【００４１】
ステップＳ１９で編集を終了する場合（何も編集しない場合も含む）は、ステップＳ１７に移行し、編集した画像の画像データを図面管理装置３０（保存先）へ転送する。編集の終了は、操作画面上でのユーザによる操作によって指示される。
【００４２】
プレビュー表示状態において、操作画面上でのユーザによるボタン群４２の操作によって、「編集を後処理で実行」の編集機能が選択されたら、図４に示すように、上位装置である図面管理装置３０側で実行可能な編集処理の選択画面（Ａ）を表示し、１種類以上の処理種別が指定されたら（図４（Ａ），（Ｂ）では、１８０度回転が指示された例）、編集種別を記録したファイル、即ち編集指示を後処理（上位装置での処理）へ指示する編集指示ファイルを作成し（ステップＳ２２）、しかる後ステップＳ１７に移行して編集指示ファイルと画像データとを図面管理装置３０（保存先）へ転送する。
【００４３】
ステップＳ２２での具体的な処理、即ち編集指示ファイルを作成する具体的な処理について、図５のフローチャートを用いてより詳細に説明する。
【００４４】
ＣＰＵ２１は、編集の後処理の指示を検知、具体的には図４において、「編集を後処理で実行」の編集機能を選択するボタンによる指示を検知したら（ステップＳ３１）、先ず編集指示を後処理へ指示する編集指示ファイルとして空のファイルを作成する（ステップＳ３２）。
【００４５】
次にＣＰＵ２１は、上位装置（図面管理装置３０）で処理可能な編集種別の選択画面、具体的には図４（Ａ），（Ｂ）に示す選択画面を表示し（ステップＳ３３）、この選択画面からユーザによって編集機能の選択指示があると、その編集指示を編集指示ファイルに追加し（ステップＳ３４）、「編集指示の終了」と判断するまで（ステップＳ３５）、具体的には、選択画面上の［完了］のボタンが選択されるまで、ステップＳ３３，Ｓ３４の各処理を繰り返して実行する。
【００４６】
図６（Ａ），（Ｂ）に、編集指示ファイルの具体例を示す。図６（Ａ）では、１８０度回転、自動傾き補正、孤立点除去の対象座標が（０，１００）の場合の編集指示内容の例を示しており、図６（Ｂ）では、９０度回転、３度傾き補正、孤立点除去の対象が全体の場合の編集指示内容の例を示している。
【００４７】
「編集指示の終了」と判断したら、ＣＰＵ２１は、作成した編集指示ファイルを保存し（ステップＳ３６）、次いで、当該編集指示ファイルの作成の基準となった画像ファイル（画像データ）を保存する（ステップＳ３７）。しかる後、図３のメインフローに戻ってステップＳ１７に移行し、編集指示ファイルと画像ファイルとを図面管理装置３０（保存先）へ転送する。
【００４８】
上述した画像処理装置２０で実行される一連の処理シーケンスの各処理を、画像処理装置２０を構成するコンピュータに実行させるプログラムが本実施形態に係る画像処理プログラムである。そして、本実施形態に係る画像処理プログラムについては、原稿処理部２０のＲＯＭ２３にあらかじめインストールしておくことが考えられる。ただし、画像処理装置２０のＲＯＭ２３にあらかじめインストールすることに限定されるものではなく、有線若しくは無線による通信手段により提供（配信）することは勿論、コンピュータ読み取り可能なＣＤ−ＲＯＭ等の記憶媒体に格納して提供することも可能である。
【００４９】
画像処理装置２０から編集指示ファイルと画像ファイルとが転送される図面管理装置３０（上位装置）は、図７のフローチャートに示す手順に沿った一連の処理シーケンスによって画像ファイルを編集する処理を実行する。
【００５０】
この一連の処理シーケンスの各処理は、図面管理装置３０を構成するコンピュータのＣＰＵによる制御の下に実行される。図面管理装置３０は、画像処理装置２０から受信した画像ファイルおよび編集指示ファイルを一次保管領域に保管する。なお、図３のフローチャートにおいて、ステップＳ１６から直接ステップＳ１７に移行する場合は、画像処理装置２０からは画像ファイルだけが転送されることになる。
【００５１】
ＣＰＵは、画像処理装置２０から受信した画像ファイルが一次保管領域に存在することを確認し（ステップＳ４１）、次いで、当該画像ファイルに対応する編集指示ファイルがあるか否かを判断する（ステップＳ４２）。
【００５２】
編集指示ファイルがあれば、当該編集指示ファイルを読み込み（ステップＳ４３）、次いで、画像ファイルを読み込んで、当該画像ファイルに対して編集指示ファイルの編集指示に従って編集処理を実行し（ステップＳ４４）、次いで、編集済みの画像ファイルを所定のデータベースに登録する（ステップＳ４５）。
【００５３】
ステップＳ４２の判断処理において、処理対象の画像ファイルに対応する編集指示ファイルがなければ、当然のことながら、当該画像ファイルに対して後処理である編集処理を実行する必要がない訳であるから、直接ステップＳ４５に以降して、当該画像ファイルを所定のデータベースに登録する。
【００５４】
なお、上記実施形態では、画像入力装置１０から読み込み入力された画像データ１ページの画像ファイルを確定する毎に上位装置である図面管理装置３０へ転送するとしたが、画像ファイルを確定する毎に上位装置へ転送しないで画像処理装置２０に記憶しておき、後から一括して上位装置へ転送するようにしてもよい。この場合、画像処理装置２０に記憶しておいた画像ファイルをプレビュー表示し、即時編集処理や「編集を後処理で実行」処理を行うようにすることも可能である。
【００５５】
また、事前に上位装置側で可能な編集処理の種別（編集種別）を画像処理装置２０に通知するような構成を採ることで、画像処理装置２０では、受信した上位装置側で可能な編集処理の種別を操作画面上に選択画面として表示するようにすることも可能である。
【００５６】
以上、本発明について実施形態を用いて説明したが、本発明の技術的範囲は上記実施形態に記載の範囲には限定されるものではなく、発明の要旨を逸脱しない範囲で上記実施形態に多様な変更または改良を加えることができ、そのような変更または改良を加えた形態も本発明の技術的範囲に含まれる。
【図面の簡単な説明】
【００５７】
【図１】本発明の一実施形態に係る画像処理システムの構成の概略を示すシステム構成図である。
【図２】画像処理装置を構成するコンピュータの基本構成を示すブロック図である。
【図３】画像処理装置での一連の処理シーケンスの処理手順を示すフローチャートである。
【図４】プレビュー表示画面の表示の一例を示す図である。
【図５】編集指示ファイルを作成する具体的な処理の流れを示すフローチャートである。
【図６】編集指示ファイルの具体例を示す図である。
【図７】図面管理装置での一連の処理シーケンスの処理手順を示すフローチャートである。
【符号の説明】
【００５８】
１０…画像入力装置、２０…画像処理装置、３０…図面管理装置（上位装置）、４０…ネットワーク
【図１】
2008118318.tif 000003
【図２】
2008118318.tif 000004
【図３】
2008118318.tif 000005
【図４】
2008118318.tif 000006
【図５】
2008118318.tif 000007
【図６】
2008118318.tif 000008
【図７】
2008118318.tif 000009